(57)【要約】【課題】  相手呼出中信号の検出後、火災・犯罪・事故等の理由により自動発信システム側の電話回線が切断された場合、相手応答と見なさず、誤った相手応答検出を防止する。【解決手段】  所定の電話宛先に自動的に発信する自動発信システムの相手応答自動検出方法において、発信先からの相手呼出中信号を検出する相手呼出中信号検出処理（Ｓ３）と、前記自動発信システムと接続された回線の接続または切断を検出する回線接続状態検出処理（Ｓ５）とを有し、自動発信（Ｓ１）後、前記相手呼出中信号検出処理により相手呼出中信号を検出し、該相手呼出中信号の検出後、該相手呼出中信号の停止を検出する（Ｓ４）と共に、前記回線接続状態検出処理（Ｓ５）により前記回線の切断が検出されていない（Ｓ５：Ｎｏ）場合、相手が前記自動発信に応答したと判定する。【選択図】        図３
2006287717.tif 000002
【特許請求の範囲】
【請求項１】
所定の電話宛先に自動的に発信する自動発信システムの相手応答自動検出方法において、
発信先からの相手呼出中信号を検出する相手呼出中信号検出処理と、前記自動発信システムと接続された回線の接続または切断を検出する回線接続状態検出処理とを有し、
自動発信後、前記相手呼出中信号検出処理により相手呼出中信号を検出し、該相手呼出中信号の検出後、該相手呼出中信号の停止を検出すると共に、前記回線接続状態検出処理により前記回線の切断が検出されていない場合、相手が前記自動発信に応答したと判定することを特徴とする相手応答自動検出方法。
【請求項２】
所定の電話宛先に自動的に発信する自動発信システムの相手応答自動検出装置において、
発信先からの相手呼出中信号を検出する相手呼出中信号検出手段と、前記自動発信システムと接続された回線の接続または切断を検出する回線接続状態検出手段とを有し、
自動発信後、前記相手呼出中信号検出手段により相手呼出中信号を検出し、該相手呼出中信号の検出後、該相手呼出中信号の停止を検出すると共に、前記回線接続状態検出手段により前記回線の切断が検出されていない場合、相手が前記相手自動発信に応答したことを示す相手応答信号を出力することを特徴とする相手応答自動検出装置。
【発明の詳細な説明】
【技術分野】
【０００１】
本発明は、自動発信システムに使用する相手応答検出に関するものである。
【背景技術】
【０００２】
従来の自動発信システムに使用する相手応答検出は、相手が応答したことによる電圧極性反転を検出しているので、相手が応答しても電圧極性反転が得られない電話回線（警察署、消防署）の場合は、相手応答を確定することができなかった。このような問題を解決するために、ダイヤル番号送出後の相手呼出中信号を検出し、該相手呼出中信号の検出後、該相手呼出中信号の停止を検出することにより相手応答と判断する工夫がなされている（例えば、特許文献１参照）。
【０００３】
しかし、このような工夫にあっても、相手呼出中信号の検出後、火災・犯罪・事故等の理由により自動発信システム側の電話回線が切断された場合、相手応答と見なしてしまい確実に相手応答検出をすることができず、相手応答を確定することができないという問題がある。
【特許文献１】特公平３−２４１１３号公報
【発明の開示】
【発明が解決しようとする課題】
【０００４】
上記問題に鑑み、本発明は、相手応答自動検出方法および相手応答自動検出装置において、相手呼出中信号の検出後、火災・犯罪・事故等の理由により自動発信システム側の電話回線が切断された場合、相手応答と見なさず、誤った相手応答検出を防止することを目的とする。
【課題を解決するための手段】
【０００５】
上記課題を解決するために、本発明は、所定の電話宛先に自動的に発信する自動発信システムの相手応答自動検出方法において、発信先からの相手呼出中信号を検出する相手呼出中信号検出処理と、前記自動発信システムと接続された回線の接続または切断を検出する回線接続状態検出処理とを有し、自動発信後、前記相手呼出中信号検出処理により相手呼出中信号を検出し、該相手呼出中信号の検出後、該相手呼出中信号の停止を検出すると共に、前記回線接続状態検出処理により前記回線の切断が検出されていない場合、相手が前記自動発信に応答したと判定する。
【０００６】
また、本発明は、所定の電話宛先に自動的に発信する自動発信システムの相手応答自動検出装置において、発信先からの相手呼出中信号を検出する相手呼出中信号検出手段と、前記自動発信システムと接続された回線の接続または切断を検出する回線接続状態検出手段とを有し、自動発信後、前記相手呼出中信号検出手段により相手呼出中信号を検出し、該相手呼出中信号の検出後、該相手呼出中信号の停止を検出すると共に、前記回線接続状態検出手段により前記回線の切断が検出されていない場合、相手が前記自動発信に応答したことを示す相手応答信号を出力するようにした。
【発明の効果】
【０００７】
本発明によれば、所定の電話宛先に自動的に発信する自動発信システムにおいて、相手呼出中信号の検出後、火災・犯罪・事故等の理由により回線が切断された場合でも相手応答検出を確実に行い、自動発信→相手応答→通信（通報）→完了→終話の一連のシーケンスを確実に完了することができる利点がある。
【発明を実施するための最良の形態】
【０００８】
以下、図を用いて、緊急通報装置である通信端末装置を例にして本発明の構成を説明する。図１〜図３は、本発明の第一の実施例にかかる緊急通報装置の構成を示す図であって、本説明はこの緊急通報装置に限定されず、例えば、自動通報装置などの通信端末装置であってもよい。
【０００９】
図１は、本発明にかかる緊急通信装置である通信端末装置の構成の概略を説明する図である。図２は、電話回線切断検出部の構成の概略を説明する図である。図３は、相手応答検出部における相手応答検出のフローチャートである。
【００１０】
図１に示すように、本発明にかかる通信端末装置１は、網制御部１１と、メッセージ送出部１２と、相手呼出中信号検出部１３と、電話回線切断検出部１４と、制御部１５とを有して構成される。
【００１１】
網制御部１１は、電話回線２に接続され、電話回線２へのダイヤル発信と、メッセージ送信と、相手呼出中信号の受信を行うためのインターフェース回路である。
【００１２】
メッセージ送出部１２は、制御部１５の相手応答検出出力により、網制御部１１を通して電話回線２に対してあらかじめ登録したメッセージを送出する回路である
【００１３】
相手呼出中信号検出部１３は、相手呼出中信号の検出と前記相手呼出中信号の停止検出を行う回路である。
【００１４】
電話回線切断検出部１４は、電話回線が切断されたことを検出する回路であり、電話回線切断監視信号を出力する。
【００１５】
電話回線切断検出部１４の構成の概略を、図２を用いて説明する。電話回線切断検出部１４は、ダイオードブリッジ１４１と、電流制限抵抗１４２と、コンデンサ１４３と、放電抵抗１４４と、コンパレータ１４５と、ホトカップラー１４６と、スイッチング手段であるトランジスタ１４７と、バイアス抵抗１４８とを有して構成される。
【００１６】
ダイオードブリッジ１４１は、電話回線２に供給されている電圧を整流する手段であり、電話回線２に供給されている電圧を、電話回線２に影響を与えない電流制限抵抗１４２を介し、コンデンサ１４３に充電する。
【００１７】
コンパレータ１４５は、コンデンサ１４３の充電電圧を監視し、充電電圧が一定値以上になると、トランジスタ１４７を導通させ、コンデンサ１４３に充電された電力を、放電抵抗１４４を介してホトカップラー１４６の発光部の発光ダイオード１４６Ａに流し、受光部のトランジスタ１４６Ｂを動作させて、バイアス抵抗１４８を介して供給される電圧を、電話回線２と絶縁された電話回線切断監視信号として制御部１５に断続的に出力する。
【００１８】
制御部１５は、網制御部１１に対して相手ダイヤル番号の送出を指示する機能と、相手呼出中音検出部１３の状態と、電話回線切断検出部１４からの電話回線切断監視信号が断続的に出力されていれば、相手が該自動発信に応答したことを示す相手応答信号を出力し、メッセージ送出部１２に対して、信号（メッセージ）の送出を指示する機能を有する。制御部１５は、電話回線切断検出部１４の電話回線切断監視信号が停止している場合は、電話回線が切断されていると判断し、回線を終話し、再度ダイヤル発信から繰り返す。
【００１９】
このような通信端末装置１において、電話回線切断検出部１４は、電話回線２に電圧が印加されているときには、コンデンサ１４３が電話回線２によって電流制限抵抗１４２を経由して充電され、所定の電圧となるとコンパレータ１４５がトランジスタ１４７をＯＮとして、放電抵抗１４４およびホトカップラー１４６の発光ダイオード１４６Ａを介して放電される。コンパレータ１４５は、入力電圧が所定の電圧に達したことを検出して動作する第１の電圧と、動作後入力電圧が低下して動作を停止する第２の電圧との間にヒステリシスを有しており、動作を開始する第１の電圧よりも低い第２の所定の電圧に達した点で動作を停止する。したがって、コンデンサ１４３が放電を開始して所定の時間が経過してコンデンサ１４３の電圧が第２の電圧に達すると、トランジスタ１４７はＯＦＦとされる。したがって、電話回線が切断されていないときには、電話回線切断監視信号は所定の周期で、ＯＮ／ＯＦＦを繰り返す。
【００２０】
制御部１５は、電話回線切断検出部１４からの電話回線切断監視信号が繰り返して出力されているときには、電話回線は接続状態と判断し、電話回線切断監視信号の断続出力が停止し、一定電圧（ハイレベル）のままになると、回線が切断されたと判断する。
【００２１】
相手応答検出を実現するための通信端末１における処理を、図３を用いて説明する。図３は、相手応答検出の概要処理フローチャートである。まず、通報要因が発生すると、制御部１５から網制御部１１に相手ダイヤル番号送出を指示し、電話回線２に対して相手ダイヤル番号を送出する（Ｓ１）。
【００２２】
相手ダイヤル番号送出後、相手呼出中信号検出部１３で相手呼出中信号検出を開始する（Ｓ２）。この相手呼出中信号検出を行う処理を相手呼出中信号検出処理という。相手呼出中信号を検出すると（Ｓ３：Ｙｅｓ）、次に、相手呼出中信号検出部１３で相手呼出中信号停止の検出を開始する（Ｓ４）。なお、相手呼出中信号は電話回線２の先に接続された交換機からの信号（４００Ｈｚ）であり、この信号の検出は４００Ｈｚを検出すればよく、従来よりある公知の任意の方法または手段が適用可能である。
【００２３】
相手呼出中信号の停止を検出する（Ｓ４：Ｙｅｓ）と、前記電話回線切断監視信号によって電話回線切断検出を行う（Ｓ５）。この電話回線切断検出を行う処理を回線接続状態検出処理という。電話回線切断検出が無い（Ｓ５：Ｎｏ）場合、制御部１５は相手が応答したことを示す相手応答信号を出力し（制御部１５内処理）、制御部１５からメッセージ送出部１２に対してメッセージ送出開始を指示し、メッセージ送出を開始する（Ｓ７）、メッセージの送出が完了したら、通報完了とする（Ｓ８）。
【００２４】
ステップ５で、電話回線切断検出がある場合（Ｓ５：Ｙｅｓ）、電話回線が切断されたと判断して通報失敗（Ｓ６）に移行し、再度ダイヤル発信（Ｓ１）に戻る。
【００２５】
このようにして、相手応答自動検出機能を備えた通信端末装置において、相手呼出中信号の検出後、相手呼出中信号の停止を検出した場合でも、火災・犯罪・事故等の理由により自動発信システム側の電話回線が切断された場合には、電話回線の切断を確実に検出することができ、誤った相手応答検出を防止して確実に相手応答検出を判断することができる。
【００２６】
上記説明において、電話回線切断検出部１４を構成するコンパレータ１４５は、コンデンサ１４３の充電電圧を監視し、動作開始電圧と動作停止電圧の間にヒステリシスを有する手段であれば他のいかなる手段、例えばリセットＩＣ、サイリスタ、電圧監視手段などであってもよい。また、ホトカップラー１４６は、電話回線２と電話回線切断監視信号との間を絶縁する構成であれば、どのような手段例えば、リレー、フォトモスリレー、フォトトランジスタなどであってもよい。
【図面の簡単な説明】
【００２７】
【図１】本発明にかかる通信端末装置の構成の概略を説明する図。
【図２】電話回線切断検出部の構成の概略を説明する図。
【図３】相手応答検出処理のフローチャート。
【符号の説明】
【００２８】
１：通信端末装置
１１：網制御部
１２：メッセージ送出部
１３：相手呼出中信号検出部
１４：電話回線切断検出部
１４１：ダイオードブリッジ
１４２：電流制限抵抗
１４３：コンデンサ
１４４：放電抵抗
１４５：コンパレータ
１４６：ホトカップラー
１４７：トランジスタ
１４８：バイアス抵抗
１５：制御部
２：電話回線
【図１】
2006287717.tif 000003
【図２】
2006287717.tif 000004
【図３】
2006287717.tif 000005